(57)【要約】【課題】複数の発光体を、発光体の発光方向に並べて配置した発光装置等において、輝度ムラの発生を抑制する。【解決手段】光源装置１１は、バックライトフレーム３１と、バックライトフレーム３１に配列される発光装置３２とを備えている。発光装置３２は、Ｂｏｔｔｏｍ側からＴｏｐ側に向けて順に配置される、発光モジュール４０ａ、発光モジュール４０ｂ、発光モジュール４０ｃ、発光モジュール４０ｄ、発光モジュール４０ｅを備えている。また、各発光モジュール４０ａ〜４０ｅは、Ｂｏｔｔｏｍ側からＴｏｐ側に向けて光を照射する発光部と、発光部から照射された光を図面手前側へと反射する反射部４４とを、それぞれ有している。そして、発光装置３２では、Ｂｏｔｔｏｍ側からＴｏｐ側に向かうに従って、発光モジュール４０ａ〜４０ｅの各発光部の発光量が小さくなるように設定されている。【選択図】図２
2010086816.tif 000002
【特許請求の範囲】
【請求項１】
画像表示を行う表示パネルと、当該表示パネルに向けて光を照射する発光装置とを備えた表示装置であって、
前記発光装置は、
一端側から他端側へと延びて展開されるフレームと、
前記フレームに配置され、前記一端側から前記他端側に向けて光を照射する発光部と、当該発光部から照射された光を前記表示パネル側に向けて反射する反射部とを有する第１の発光モジュールと、
前記フレームにて、前記第１の発光モジュールの前記他端側に隣り合って配置され、前記一端側から当該他端側に向けて光を照射する発光部と、当該発光部から照射された光を前記表示パネル側に向けて反射する反射部とを有する第２の発光モジュールとを備え、
前記第２の発光モジュールにおける前記発光部は、前記第１の発光モジュールにおける前記発光部と比較して、照射する光の光量が小さく設定されることを特徴とする表示装置。
【請求項２】
前記フレームの前記他端側の端部に設けられ、前記第１の発光モジュール及び前記第２の発光モジュールから入射する光を吸収する吸収体をさらに備えることを特徴とする請求項１記載の表示装置。
【請求項３】
前記反射部は、
前記発光部の前記フレーム側にて、当該フレームに沿って展開され、当該発光部から照射される光を前記表示パネル側に向けて反射する第１の反射部と、
前記発光部の前記フレーム側にて、当該発光部から離れるに従って前記表示パネル側に近づく方向に傾斜し、当該発光部から照射される光を当該表示パネル側に向けて反射する第２の反射部と
を備えることを特徴とする請求項１又は２記載の表示装置。
【請求項４】
一端側から他端側へと延びて展開されるフレームと、
前記フレームに配置され、前記一端側から前記他端側に向けて光を照射する発光部と、当該発光部から照射された光を当該フレームとは逆側に向けて反射する反射部とを有する第１の発光モジュールと、
前記フレームにて、前記第１の発光モジュールの前記他端側に隣り合って配置され、前記一端側から当該他端側に向けて光を照射する発光部と、当該発光部から照射された光を当該フレームとは逆側に向けて反射する反射部とを有する第２の発光モジュールとを備え、
前記第２の発光モジュールにおける前記発光部は、前記第１の発光モジュールにおける前記発光部と比較して、照射する光の光量が小さく設定されることを特徴とする発光装置。
【請求項５】
前記フレームの前記他端側の端部に設けられ、前記第１の発光モジュール及び前記第２の発光モジュールから入射する光を吸収する吸収体をさらに備えることを特徴とする請求項４記載の発光装置。
【請求項６】
前記反射部は、
前記発光部の前記フレーム側にて、当該フレームに沿って展開され、当該発光部から照射される光を前記フレームとは逆側に向けて反射する第１の反射部と、
前記発光部の前記フレーム側にて、当該発光部から離れるに従って前記フレーム側から遠ざかる方向に傾斜し、当該発光部から照射される光を前記フレームとは逆側に向けて反射する第２の反射部と
を備えることを特徴とする請求項４又は５記載の発光装置。
【請求項７】
一端側から他端側へと延びて展開されるフレームと、
前記フレームに配置され、前記一端側から前記他端側に向けて光を照射する発光部と、当該発光部から照射された光を当該フレームとは逆側に向けて反射する反射部とを有する第１の発光モジュールと、
前記フレームにて、前記第１の発光モジュールの前記他端側に隣り合って配置され、前記一端側から当該他端側に向けて光を照射する発光部と、当該発光部から照射された光を当該フレームとは逆側に向けて反射する反射部とを有する第２の発光モジュールと、
前記第２の発光モジュールにおける前記発光部の発光量よりも前記第１の発光モジュールにおける前記発光部の発光量が少なくなるように当該第１の発光モジュールおよび当該第２の発光モジュールを制御する制御部と
を含むことを特徴とする発光装置。
【発明の詳細な説明】
【技術分野】
【０００１】
本発明は、画像表示を行う表示装置、及び発光装置に関する。
【背景技術】
【０００２】
液晶テレビや液晶ディスプレイ装置等に代表される表示装置では、表示パネルの背面から光を照射する発光装置（バックライト）が設けられる。
このバックライトとしては、例えば表示パネルの直下（背面）に平面状に光源を配置するいわゆる直下型が知られている。この直下型のバックライトは、高輝度を確保できる点で優れているが、光源が配置されている直上が周囲と比較して明るくなるため、輝度ムラが発生し易くなる。また、混色を促進するために光源から表示パネル等の被照射物までの光路長をある程度確保する必要がある。そのため、直下型のバックライトは、装置の厚みが厚くなりやすい。
【０００３】
また、導光板の二辺または一辺にのみ光源を設置し、導光板に入射させた光を導光板の裏面に設けた反射部によって反射させて例えば表示パネル面に光を照射させるいわゆるエッジライト型のバックライトも存在する。このエッジライト型のバックライトは、光源から表示パネル等の被照射物までの光路長を確保しやすいため、例えば直下型と比較して、装置を薄型にすることができるという利点がある。しかしながら、エッジライト型のバックライトでは、光源を置ける位置がバックライトの側部に限られているため、例えば４０インチサイズ以上の大型の液晶ディスプレイ装置等の表示装置においては、光源から遠い側にて光量が低下して輝度ムラが発生しやすくなる。
【０００４】
さらに、例えば大型の液晶ディスプレイ装置等の表示装置のバックライトに導光板を設けようとする場合、導光板のサイズも付随して大きくなる。そして、導光板のサイズが大きくなるに従って、導光板の強度が低下しやすくなる、あるいはバックライトの重量が増加する等の新たな問題が生じてしまう。
【０００５】
これに対し、例えば特許文献１には、導光板を用いずに構成されたバックライトが開示されている。特許文献１に記載されるバックライトは、表示パネルの直下（背面）に発光体を設け、発光体から表示パネル面と略平行な方向に光を照射し、その光を反射部によって反射させて表示パネル面側に照射させている。また、特許文献１には、表示パネル面と略平行な方向に光を照射する発光体を、発光方向に複数並べて配置することが記載されている。
【０００６】
【特許文献１】特開２００６−２８６６３９号公報
【発明の開示】
【発明が解決しようとする課題】
【０００７】
ところで、特許文献１のようにバックライトを構成すると、発光体から照射された光は主に表示パネル側に向かうが、一部の光は発光方向の下流側に位置する他の発光体側へと進行する。すると、発光方向の下流側に位置する他の発光体が設けられる領域では、発光方向の下流側に設けられる他の発光体から照射される光に、上流側に配置される発光体から入射してくる光が加わることとなる。これにより、バックライトにおいて、発光方向の下流側の光量が、発光方向の上流側と比較して大きくなり、輝度ムラが発生してしまう。
本発明は、複数の発光体を、発光体の発光方向に並べて配置した発光装置等において、輝度ムラの発生を抑制することを目的とする。
【課題を解決するための手段】
【０００８】
かかる目的のもと、本発明は、画像表示を行う表示パネルと、表示パネルに向けて光を照射する発光装置とを備えた表示装置であって、発光装置は、一端側から他端側へと延びて展開されるフレームと、フレームに配置され、一端側から他端側に向けて光を照射する発光部と、発光部から照射された光を表示パネル側に向けて反射する反射部とを有する第１の発光モジュールと、フレームにて、第１の発光モジュールの他端側に隣り合って配置され、一端側から他端側に向けて光を照射する発光部と、発光部から照射された光を表示パネル側に向けて反射する反射部とを有する第２の発光モジュールとを備え、第２の発光モジュールにおける発光部は、第１の発光モジュールにおける発光部と比較して、照射する光の光量が小さく設定されることを特徴とする表示装置である。
【０００９】
このような表示装置において、フレームの他端側の端部に設けられ、第１の発光モジュール及び第２の発光モジュールから入射する光を吸収する吸収体をさらに備えることを特徴とすることができる。また、反射部は、発光部のフレーム側にて、フレームに沿って展開され、発光部から照射される光を表示パネル側に向けて反射する第１の反射部と、発光部のフレーム側にて、発光部から離れるに従って表示パネル側に近づく方向に傾斜し、発光部から照射される光を表示パネル側に向けて反射する第２の反射部とを備えることを特徴とすることができる。
【００１０】
また、他の観点から捉えると、本発明は、一端側から他端側へと延びて展開されるフレームと、フレームに配置され、一端側から他端側に向けて光を照射する発光部と、発光部から照射された光をフレームとは逆側に向けて反射する反射部とを有する第１の発光モジュールと、フレームにて、第１の発光モジュールの他端側に隣り合って配置され、一端側から他端側に向けて光を照射する発光部と、発光部から照射された光をフレームとは逆側に向けて反射する反射部とを有する第２の発光モジュールとを備え、第２の発光モジュールにおける発光部は、第１の発光モジュールにおける発光部と比較して、照射する光の光量が小さく設定されることを特徴とする発光装置である。
【００１１】
このような発光装置において、フレームの他端側の端部に設けられ、第１の発光モジュール及び第２の発光モジュールから入射する光を吸収する吸収体をさらに備えることを特徴とすることができる。さらに、反射部は、発光部のフレーム側にて、フレームに沿って展開され、発光部から照射される光をフレームとは逆側に向けて反射する第１の反射部と、発光部のフレーム側にて、発光部から離れるに従ってフレーム側から遠ざかる方向に傾斜し、発光部から照射される光をフレームとは逆側に向けて反射する第２の反射部とを備えることを特徴とすることができる。
【００１２】
さらにまた、他の観点から捉えると、本発明は、一端側から他端側へと延びて展開されるフレームと、フレームに配置され、一端側から他端側に向けて光を照射する発光部と、発光部から照射された光をフレームとは逆側に向けて反射する反射部とを有する第１の発光モジュールと、フレームにて、第１の発光モジュールの他端側に隣り合って配置され、一端側から他端側に向けて光を照射する発光部と、発光部から照射された光をフレームとは逆側に向けて反射する反射部とを有する第２の発光モジュールと、第２の発光モジュールにおける発光部の発光量よりも第１の発光モジュールにおける発光部の発光量が少なくなるように第１の発光モジュールおよび第２の発光モジュールを制御する制御部とを含むことを特徴とする発光装置である。
【発明の効果】
【００１３】
本発明によれば、複数の発光体を、発光体の発光方向に並べて配置した発光装置等において、輝度ムラの発生を抑制することを目的とすることが可能となる。
【発明を実施するための最良の形態】
【００１４】
＜実施形態１＞
以下、添付図面を参照して、本発明の実施の形態について詳細に説明する。
図１は本実施形態の液晶表示装置の全体構成を示す図である。
この液晶表示装置は、液晶表示モジュール２０と、この液晶表示モジュール２０の背面側（図１に示す例では下側）に設けられるバックライト装置１０とを備えている。なお、図１には、液晶表示装置を使用する際の縦方向Ｖと横方向Ｈとを矢印で示している。また、本実施の形態の液晶表示装置は、縦方向Ｖよりも横方向Ｈの方が大きい横長形状を有しているが、縦長形状の構成としても良い。
【００１５】
発光装置の一例としてのバックライト装置１０は、液晶表示モジュール２０に向けて光を照射する光源装置１１と、可視光に対し光透過性を有する光学フィルムの積層体からなり、面全体を均一な明るさとするために光を散乱・拡散させる拡散板（板またはフィルム）１２と、前方への集光効果を持たせた回折格子フィルムであるプリズムシート１３、１４とを備えている。また、バックライト装置１０には、必要に応じて、輝度を向上させるための拡散・反射型の輝度向上フィルム１５が備えられる。
【００１６】
一方、液晶表示モジュール２０は、２枚のガラス基板により液晶が挟まれて構成される液晶パネル２１と、この液晶パネル２１の各々のガラス基板に積層され、光波の振動を所定の方向に制限するための偏光板２２、２３とを備えている。更に、この液晶表示モジュール２０には、図示しない駆動用ＬＳＩなどの周辺部材も装着される。
【００１７】
表示パネルの一例としての液晶パネル２１は、図示しない各種構成要素を含んで構成されている。例えば、２枚のガラス基板に、図示しない表示電極、薄膜トランジスタ（ＴＦＴ：Thin Film Transistor）などのアクティブ素子、液晶、スペーサ、シール剤、配向膜、共通電極、保護膜、カラーフィルタ等が設けられている。
なお、バックライト装置１０の構成単位は任意に選択される。例えば、光源装置１１だけの単位にて「バックライト装置」と呼び、拡散板１２、プリズムシート１３、１４、輝度向上フィルム１５などを含まない流通形態もあり得る。
【００１８】
図２は、光源装置１１の構成を説明するための図であり、光源装置１１を図１の上側から見た上面図を示している。本実施の形態では、液晶表示モジュール２０の背面直下に光源装置１１を配置するバックライト構造を採用している。なお、本実施の形態に係るバックライト装置１０は、所謂導光板（ライトガイド）を備えていない。
【００１９】
光源装置１１は、図中手前側に向かって開口するバックライトフレーム３１と、バックライトフレーム３１に収容され、図中手前側に向けて光を出射する発光装置３２と、図示しない外部の電源から発光装置３２に電力を供給する給電ケーブル３３と、給電ケーブル３３等の裏面側に設けられ、発光装置３２の発光を制御する発光制御部３４とを備えている。なお、本実施形態の発光制御部３４は、必ずしもバックライト装置１０に設けられる必要はなく、例えば、バックライト装置１０とは別に設けられ、発光装置３２を制御するように構成しても構わない。
【００２０】
フレームの一例としてのバックライトフレーム３１は、例えばアルミニウムやマグネシウム、鉄、またはそれらを含む金属合金などで形成された筐体構造を有している。このような筐体構造として、バックライトフレーム３１は、液晶表示モジュール２０の大きさに対応して設けられ、縦方向Ｖ及び横方向Ｈに延びる背面部と、この背面部の四隅を囲う側面部を備えている。そして、その筐体構造の側面部内側には、例えば白色のポリエステルフィルムなどが貼られ、リフレクタとしても機能するようになっている。
【００２１】
また、バックライトフレーム３１は、図２に示すように、バックライトフレーム３１のＴｏｐ側の側面部内側に吸収体３５を備えている。吸収体３５は、発光装置３２から入射する光を吸収する。また、本実施形態の吸収体３５は、バックライトフレーム３１のＴｏｐ側の側面部内側に黒色を呈する板状の部材を取り付けることにより形成される。なお、吸収体３５は、例えば黒色を呈する塗料等による塗装によって形成されていても構わない。
【００２２】
発光装置３２は、それぞれが横方向Ｈに沿って延び、且つ、縦方向Ｖに複数（本実施の形態では５つ）配列に配置された発光モジュール４０ａ〜４０ｅを有している。また、図２に示すように、発光モジュール４０ａは最も下側（Ｂｏｔｔｏｍ側）に、発光モジュール４０ｅは最も上側（Ｔｏｐ側）に、それぞれ位置する。そして、図２に示すように、発光モジュール４０ａ、発光モジュール４０ｂ、発光モジュール４０ｃ、発光モジュール４０ｄ、発光モジュール４０ｅの順に隣り合うように、バックライトフレーム３１に配列される。また、本実施形態においては、発光モジュール４０ａ〜４０ｅは、Ｂｏｔｔｏｍ側（一端側に対応）からＴｏｐ側（他端側に対応）に向けて光を出射し、かつ、出射した光を図中手前側に向けて反射するように構成されている。
なお、ある発光モジュール４０（例えば発光モジュール４０ａ）を第１の発光モジュールとした場合、ある発光モジュール４０のＢｏｔｔｏｍ側に隣り合う他の発光モジュール４０（例えば発光モジュール４０ｂ）が第２の発光モジュールとなる。
【００２３】
給電ケーブル３３は、折り処理が可能なフレキシブルフラットケーブルにて構成されており、バックライトフレーム３１の内側であって図中右側の部位に設けられている。そして、給電ケーブル３３の一端は発光制御部３４に設けられたコネクタ（図示せず）に、他端は発光モジュール４０ａ〜４０ｅに設けられたコネクタ４３（後述）に、それぞれ接続されている。
【００２４】
続いて、発光モジュール４０の構成について発光モジュール４０ａを例にあげて説明する。
図３は発光モジュール４０ａの斜視図を示している。
図３に示すように、発光モジュール４０ａは、横方向Ｈに沿って並べられた複数の発光ダイオード（以下の説明ではＬＥＤと呼ぶ）を有し、縦方向ＶすなわちＢｏｔｔｏｍ側からＴｏｐ側に向けて光を発する発光部４１と、発光部４１が取り付けられて発光部４１を支持するとともに発光部４１の複数のＬＥＤに給電を行う電気経路を具備する配線基板４２と、配線基板４２に設けられ複数のＬＥＤに給電するコネクタ４３とを備える。そして、発光部４１は、横方向Ｈに沿って一列に並べられた４２個のＬＥＤパッケージ５０を有している。そして、各ＬＥＤパッケージ５０は、それぞれ、横方向Ｈに沿って一列に並べられた４個のＬＥＤを備えている。
【００２５】
また、発光モジュール４０ａは、配線基板４２における発光部４１の取り付け面側に固定され、発光部４１から出射された光を拡散板１２側（図１参照）に向けて反射する反射板４４と、隣接する発光モジュール４０（この場合は発光モジュール４０ｂ）に設けられた発光部４１から拡散板１２側（図１参照）に向けて進行する光の光量を調整する調整部材４５と、発光部４１近傍において、反射板４４側で調整部材４５と対向するように設けられ、発光部４１から照射された光の一部を吸収する吸収部４６とを備える。
【００２６】
図４は、配線基板４２について説明するための図である。ここで、図４（ａ）は配線基板４２の発光部４１（ＬＥＤパッケージ５０）の取り付け面（以下の説明では表面と呼ぶ）を示す正面図、図４（ｂ）は配線基板４２の反射板４４の取り付け面（以下の説明では裏面と呼ぶ）を示す背面図である。
【００２７】
配線基板４２は、絶縁体からなる基部と、基部上に導電体にて構成された電気経路と、基部および電気経路を覆うように設けられたレジスト層とを備えている。なお、この配線基板４２は所謂ＦＰＣ（Flexible printed circuits）で構成されている。
【００２８】
配線基板４２の表面には、Ｂｏｔｔｏｍ側であって横方向Ｈに沿って形成された給電電極群８０と、配線基板４２のＬ字状の突出部側に形成された２つのコネクタ用電極８９と、給電電極群８０よりもＴｏｐ側であって横方向Ｈに沿って形成された表側放熱パッド９１とが設けられている。これら給電電極群８０、コネクタ用電極８９および表側放熱パッド９１は、配線基板４２の表面側に設けられた導電体（金属層）がレジスト層で覆われないことによって露出している。
一方、配線基板４２の裏面には、Ｔｏｐ側であって横方向Ｈに沿って形成された裏側放熱パッド９２が設けられている。裏側放熱パッド９２は、図３等に示す発光モジュール４０ａを構成し、後述の図７（ｂ）に示すように、バックライトフレーム３１に取り付けを行った際に、熱伝導性を有する接着剤を介してバックライトフレーム３１と接触するようになっている。
【００２９】
ここで、給電電極群８０は、図４（ａ）に拡大して示すように、赤用正電極８１、赤用負電極８２、第１緑用正電極８３、第１緑用負電極８４、青用正電極８５、青用負電極８６、第２緑用正電極８７および第２緑用負電極８８の８電極を１組とし、これを横方向Ｈに沿って４２組配置することで構成されている。また、２つのコネクタ用電極８９は、図３等に示す２つのコネクタ４３の取り付けに使用される。
また、表面放熱パッド９１及び裏面放熱パッド９２は、各色のＬＥＤ５２に適宜対応して、配線基板４２に形成される負電極（例えば、第１緑用負電極８４等）と熱的に接続している。
【００３０】
なお、発光動作に伴って、各ＬＥＤパッケージ５０に設けられた赤色ＬＥＤ５２Ｒ、第１緑色ＬＥＤ５２Ｇａ、青色ＬＥＤ５２Ｂ及び第２緑色ＬＥＤ５２Ｇｂから熱が発生する。このとき、各ＬＥＤ５２で発生した熱は、各々のダイパッド、金属スルーホール、裏面負電極（後述）へと流れる。そして、発生した熱は、配線基板４２の負電極から表側放熱パッド９１を介して反射板４４へと、あるいは裏側放熱パッド９２を介してバックライトフレーム３１へと流れる。
【００３１】
図５は、ＬＥＤパッケージ５０を説明するための図である。ここで、図５（ａ）はＬＥＤパッケージ５０をＴｏｐ側から見た正面図を、図５（ｃ）はＬＥＤパッケージ５０をＢｏｔｔｏｍ側から見た背面図を、図５（ｄ）はＬＥＤパッケージ５０の側面図を、それぞれ示している。また、図５（ｂ）は、ＬＥＤパッケージ５０を構成する板状基板５１をＴｏｐ側から見た正面図を示している。
【００３２】
ＬＥＤパッケージ５０は、矩形状の板状基板５１と、板状基板５１のＴｏｐ側の面（以下の説明では表面と呼ぶ）に並べて取り付けられる４個のＬＥＤ５２とを備える。また、ＬＥＤパッケージ５０は、板状基板５１の表面に形成される白色のレジスト膜５３と、板状基板５１の表面に設けられた４個のＬＥＤ５２のそれぞれを覆う４個の砲弾型のレンズ５４とをさらに備える。そして、４個のＬＥＤ５２は、図５（ａ）において左から、赤色光を発する赤色ＬＥＤ５２Ｒ、緑色光を発する第１緑色ＬＥＤ５２Ｇａ、青色光を発する青色ＬＥＤ５２Ｂ及び緑色光を発する第２緑色ＬＥＤ５２Ｇｂとなっている。このような配置を行うことで、複数のＬＥＤパッケージ５０を一列に並べて発光部４１を構成した際に、赤、緑、青、緑、赤、緑、青、緑、赤、…、の順でＬＥＤ５２が配列されることになる。即ち、一つおきに配列される緑の間に、赤、青が交互に配置される。
【００３３】
なお、以下の説明においては、発光モジュール４０ａの発光部４１を構成する複数（この場合４２個）の赤色ＬＥＤ５２Ｒを赤色ＬＥＤ群１０１Ｒと、複数（この場合４２個）の第１緑色ＬＥＤ５２Ｇａを第１緑色ＬＥＤ群１０１Ｇａと、複数（この場合４２個）の青色ＬＥＤ５２Ｂを青色ＬＥＤ群１０１Ｂと、複数（この場合４２個）の第２緑色ＬＥＤＧｂを第２緑色ＬＥＤ群１０１Ｇｂと、それぞれ呼ぶ（後述する図６参照）。
同様に、発光モジュール４０ｂの発光部４１を構成する各色のＬＥＤ群を、それぞれ、赤色ＬＥＤ群１０２Ｒと、第１緑色ＬＥＤ群１０２Ｇａと、青色ＬＥＤ群１０２Ｂと、第２緑色ＬＥＤ群１０２Ｇｂと呼ぶ。また、発光モジュール４０ｃの発光部４１を構成する各色のＬＥＤ群を、それぞれ、赤色ＬＥＤ群１０３Ｒと、第１緑色ＬＥＤ群１０３Ｇａと、青色ＬＥＤ群１０３Ｂと、第２緑色ＬＥＤ群１０３Ｇｂと呼ぶ。さらに、発光モジュール４０ｄの発光部４１を構成する各色のＬＥＤ群を、それぞれ、赤色ＬＥＤ群１０４Ｒと、第１緑色ＬＥＤ群１０４Ｇａと、青色ＬＥＤ群１０４Ｂと、第２緑色ＬＥＤ群１０４Ｇｂと呼ぶ。そして、発光モジュール４０ｅの発光部４１を構成する各色のＬＥＤ群を、それぞれ、赤色ＬＥＤ群１０５Ｒと、第１緑色ＬＥＤ群１０５Ｇａと、青色ＬＥＤ群１０５Ｂと、第２緑色ＬＥＤ群１０５Ｇｂと呼ぶ。
【００３４】
板状基板５１の表面には、図５（ｂ）において左から順に、赤用表面正電極６１ａ、赤用ダイパッド７１、赤用表面負電極６２ａ、第１緑用表面正電極６３ａ、第１緑用ダイパッド７２、第１緑用表面負電極６４ａ、青用表面正電極６５ａ、青用ダイパッド７３、青用表面負電極６６ａ、第２緑用表面正電極６７ａ、第２緑用ダイパッド７４、第２緑用表面負電極６８ａが設けられている。そして、図５（ａ）に示すように、赤用ダイパッド７１には赤色ＬＥＤ５２Ｒが、第１緑用ダイパッド７２には第１緑色ＬＥＤ５２Ｇａが、青用ダイパッド７３には青色ＬＥＤ５２Ｂが、第２緑用ダイパッド７４には第２緑色ＬＥＤ５２Ｇｂが、それぞれ取り付けられる。また、赤色ＬＥＤ５２Ｒは赤用表面正電極６１ａおよび赤用表面負電極６２ａと、第１緑色ＬＥＤ５２Ｇａは第１緑用表面正電極６３ａおよび第１緑用表面負電極６４ａと、青色ＬＥＤ５２Ｂは青用表面正電極６５ａおよび青用表面負電極６６ａと、第２緑色ＬＥＤ５２Ｇｂは第２緑用表面正電極６７ａおよび第２緑用表面負電極６８ａと、それぞれ金属ワイヤ（図示せず）を介して電気的に接続される。
【００３５】
一方、板状基板５１のＢｏｔｔｏｍ側の面（以下の説明では裏面と呼ぶ）には、図５（ｃ）において右から順に、赤用裏面正電極６１ｂ、赤用裏面負電極６２ｂ、第１緑用裏面正電極６３ｂ、第１緑用裏面負電極６４ｂ、青用裏面正電極６５ｂ、青用裏面負電極６６ｂ、第２緑用裏面正電極６７ｂ、第２緑用裏面負電極６８ｂが設けられている。なお、本実施の形態に係るＬＥＤパッケージ５０では、板状基板５１の裏面側にレジスト膜の形成を行っておらず、その結果、各電極の全面が外部に露出した状態となっている。そして、これら赤用裏面正電極６１ｂ、赤用裏面負電極６２ｂ、第１緑用裏面正電極６３ｂ、第１緑用裏面負電極６４ｂ、青用裏面正電極６５ｂ、青用裏面負電極６６ｂ、第２緑用裏面正電極６７ｂ、第２緑用裏面負電極６８ｂの横方向Ｈに対応する幅Ｗは、全て一定となっている。
【００３６】
これらのうち、赤用表面正電極６１ａおよび赤用裏面正電極６１ｂは金属スルーホール６１ｃを介して、赤用表面負電極６２ａおよび赤用裏面負電極６２ｂは金属スルーホール６２ｃを介して、それぞれ電気的に接続されている。また、第１緑用表面正電極６３ａおよび第１緑用裏面正電極６３ｂは金属スルーホール６３ｃを介して、第１緑用表面負電極６４ａおよび第１緑用裏面負電極６４ｂは金属スルーホール６４ｃを介して、それぞれ電気的に接続されている。さらに、青用表面正電極６５ａおよび青用裏面正電極６５ｂは金属スルーホール６５ｃを介して、青用表面負電極６６ａおよび青用裏面負電極６６ｂは金属スルーホール６６ｃを介して、それぞれ電気的に接続されている。さらにまた、第２緑用表面正電極６７ａおよび第２緑用裏面正電極６７ｂは金属スルーホール６７ｃを介して、第２緑用表面負電極６８ａおよび第２緑用裏面負電極６８ｂは金属スルーホール６８ｃを介して、それぞれ電気的に接続されている。
【００３７】
ここで、本実施の形態では、第１緑用裏面負電極６４ｂ、青用裏面負電極６６ｂ、第２緑用裏面負電極６８ｂがそれぞれＬ字状の形状を有しており、それぞれの突出部が第１緑用ダイパッド７２、青用ダイパッド７３、第２緑用ダイパッド７４の真裏の位置まで延びている。そして、第１緑用ダイパッド７２および第１緑用裏面負電極６４ｂは金属スルーホール７２ａを介して、また、青用ダイパッド７３および青用裏面負電極６６ｂは金属スルーホール７３ａを介して、さらに、第２緑用ダイパッド７４および第２緑用裏面負電極６８ｂは金属スルーホール７４ａを介して、それぞれ電気的且つ熱的に接続されている。なお、これらの金属スルーホールについては、穴内に金属が充填されていてもよいし、穴壁にめっきが施されていてもよい。
【００３８】
また、板状基板５１は、上述した表面および裏面の他に４つの側面を有しているが、これらのうち、板状基板５１の長辺側の一側面は、発光モジュール４０ａ〜４０ｅを構成する際に、配線基板４２と接触する配線基板取り付け面５１ａとなる。一方、配線基板取り付け面５１ａの反対側の一側面は、発光モジュール４０ａ〜４０ｅを構成する際に、後述の調整部材４５と対向する面となる調整部材対向面５１ｂとなる。また、本実施の形態では、板状基板５１における各金属スルーホールの形成部位に近い側が調整部材対向面５１ｂとなり、各金属スルーホールの形成部位から遠い側が配線基板取り付け面５１ａとなる。
【００３９】
そして、発光モジュール４０ａ〜４０ｅを構成するに際して、図５に示す板状基板５１を備えたＬＥＤパッケージ５０は、配線基板４２の表面に対し、配線基板取り付け面５１ａを対向させた状態で立てて取り付けられる。このとき、ＬＥＤパッケージ５０の板状基板５１に設けられた赤用裏面正電極６１ｂ、赤用裏面負電極６２ｂは、配線基板４２に設けられた赤用正電極８１、赤用負電極８２にそれぞれはんだ付けされる。また、板状基板５１に設けられた第１緑用裏面正電極６３ｂ、第１緑用裏面負電極６４ｂは、配線基板４２に設けられた第１緑用正電極８３、第１緑用負電極８４にそれぞれはんだ付けされる。そして、板状基板５１に設けられた他の電極も、それぞれ、配線基板４２に設けられた対応電極にそれぞれはんだ付けされる。
【００４０】
以上のように、配線基板４２に対して各ＬＥＤパッケージ５０が位置決めされて固定される。このとき、ＬＥＤパッケージ５０の板状基板５１の裏面に設けられた各電極（赤用裏面正電極６１ｂ、赤用裏面負電極６２ｂ、第１緑用裏面正電極６３ｂ、第１緑用裏面負電極６４ｂ、青用裏面正電極６５ｂ、青用裏面負電極６６ｂ、第２緑用裏面正電極６７ｂ、第２緑用裏面負電極６８ｂ）の幅Ｗが同一となっているため、はんだを介してＬＥＤパッケージ５０に加えられる力は横方向Ｈにおいて均等となり、配線基板４２に対するＬＥＤパッケージ５０の位置ずれが抑制されることになる。
【００４１】
図６は、発光制御部３４について説明するための図である。
制御部の一例としての発光制御部３４は、発光モジュール４０ａ〜４０ｅの発光量をそれぞれ制御する。上記のとおり、本実施形態では、各発光モジュール４０ａ〜４０ｅの発光部４１にＬＥＤ５２を用いている。ＬＥＤ５２は、電流に比例して光量が増加するという性質を有する。従って、発光制御部３４は、図６に示すように、例えば発光モジュール４０ａの赤色ＬＥＤ群１０１Ｒ、第１緑色ＬＥＤ群１０１Ｇａ、青色ＬＥＤ群１０１Ｂ及び第２緑色ＬＥＤ群１０１Ｇｂに流す電流を調整することによって、発光モジュール４０ａの発光量を制御している。同様に、発光制御部３４は、発光モジュール４０ｂの赤色ＬＥＤ群１０２Ｒ、第１緑色ＬＥＤ群１０２Ｇａ、青色ＬＥＤ群１０２Ｂ及び第２緑色ＬＥＤ群１０２Ｇｂに流す電流を、発光モジュール４０ｃの赤色ＬＥＤ群１０３Ｒ、第１緑色ＬＥＤ群１０３Ｇａ、青色ＬＥＤ群１０３Ｂ及び第２緑色ＬＥＤ群１０３Ｇｂに流す電流を、それぞれ制御する。また、発光制御部３４は、発光モジュール４０ｄの赤色ＬＥＤ群１０４Ｒ、第１緑色ＬＥＤ群１０４Ｇａ、青色ＬＥＤ群１０４Ｂ及び第２緑色ＬＥＤ群１０４Ｇｂに流す電流を、発光モジュール４０ｅの赤色ＬＥＤ群１０５Ｒ、第１緑色ＬＥＤ群１０５Ｇａ、青色ＬＥＤ群１０５Ｂ及び第２緑色ＬＥＤ群１０５Ｇｂに流す電流を、それぞれ制御する。
【００４２】
図７は、発光モジュール４０の反射板４４、調整部材４５及び吸収部４６を説明するための図である。なお、図７（ａ）は発光モジュール４０ａを図２と同じ方向から見た上面図を、図７（ｂ）は図７（ａ）に示す発光モジュール４０ａのＡ−Ａ断面図を、それぞれ示している。
【００４３】
反射板４４は、白色を呈する樹脂によって構成されている。本実施形態の反射板４４の材料としては、例えばＰＥＴ（ポリエチレンテレフタレート）樹脂に白色剤として二酸化チタンを混ぜたものを用いることができる。反射部の一例としての反射板４４は、図７（ａ）に示すように、矩形状の第１反射部４４ａと、この第１反射部４４ａの一方の長辺側から傾斜して延設される矩形状の第２反射部４４ｂとを備えている。ここで、第１反射部４４ａは、配線基板４２の発光部４１の取り付け面側において、発光部４１よりもＴｏｐ側であってその長辺が横方向Ｈに沿うように配置される。そして、発光モジュール４０ａでは、配線基板４２と第１反射部４４ａとが対向し、両者が接着にて固定されている。そして、反射板４４は、発光部４１から照射される光を正反射及び拡散反射させて、拡散板１２側に向けて供給する。
【００４４】
図７（ｂ）に示すように、第２反射部４４ｂは、第１反射部４４ａのＴｏｐ側から発光部４１の光の経路を遮る側に傾斜して配置される。即ち、第２反射部４４ｂは、発光部４１から離れるに従って、バックライトフレーム３１から遠ざかるように傾斜している。また、本実施形態の反射板４４は、第１反射部４４ａの面の延長線と第２反射部４４ｂとのなす角度θが約１５°となるように設定されている。なお、この角度θは、１０°以上２０°以下とすることが好ましい。
【００４５】
また、調整部材４５は、反射板４４と同様に、白色を呈する樹脂によって構成されている。本実施形態の調整部材４５の材料としては、例えばＰＥＴ（ポリエチレンテレフタレート）樹脂に白色剤として二酸化チタンを混ぜたものを用いることができる。そして、調整部材４５は、第２反射部４４ｂよりもＴｏｐ側であってその長辺が横方向Ｈに沿うように配置される。
そして、図７（ｂ）に示すように、調整部材４５は、第２反射部４４ｂのＴｏｐ側から、さらにＴｏｐ側に向けて第１反射部４４ａとほぼ平行に延びて設けられる。このとき、調整部材４５は、発光部４１からの光を適宜調整して透過できるように所定の厚みを有している。そして、調整部材４５のバックライトフレーム３１側（図中下側）には、空間が形成される。即ち、図７（ｂ）に示すように、調整部材４５は、反射板４４からＴｏｐ側に延びた庇のように設けられる。
【００４６】
以上のように構成される調整部材４５は、発光モジュール４０ａ〜４０ｅをバックライトフレーム３１に並べた際に、隣接する発光モジュール４０の発光部４１を覆うように設けられる。例えば、図７（ｂ）に示すように、発光モジュール４０ａの調整部材４５は、隣接する発光モジュール４０ｂの発光部４１を、拡散板１２側から覆うように配置される。さらに、本実施形態の調整部材４５は、一端側４５ａ（Ｂｏｔｔｏｍ側）から他端側４５ｂ（Ｔｏｐ側）に向かうに従って、厚みが薄くなるように設定されている。そして、調整部材４５は、発光部４１から遠ざかるに従って、発光部４１から照射される光を透過しやすくなっている。逆に、調整部材４５は、発光部４１に近づくに従って、発光部４１から照射される光を透過しにくくなっている。
【００４７】
吸収部４６は、図７（ａ）に示すように、第１反射部４４ａにおいて発光部４１のＢｏｔｔｏｍ側であって、その長辺が横方向Ｈに沿うように設けられる。また、吸収部４６は、図７（ｂ）に示すように、発光部４１の近傍から光照射方向（Ｔｏｐ側）に向けて所定の幅を有して設けられる。本実施形態の吸収部４６は、第１反射部４４ａに灰色（グレー）を呈する塗料等を塗装することで形成されている。また、本実施形態の吸収部４６が呈する色は、マンセル表色系で定義される明度（無彩色）でＮ６に相当する。なお、吸収部４６が呈する色は、マンセル表色系で定義される明度（無彩色）でＮ５以上Ｎ７以下であることが好ましい。以上のように構成される吸収部４６は、発光部４１から照射される光の一部を吸収し、残りを拡散板１２側に向けて反射する。
【００４８】
なお、吸収部４６は、塗装による形成の他、上記構成を有する部材を第１反射部４４ａに取り付けたものでも構わない。さらに、吸収部４６は、第１反射部４４ａの上に設けられることに限定されない。例えば、第１反射部４４ａをＴｏｐ側に向けて切り詰めて、発光部４１と第１反射部４４ａとの間に隙間を設ける。そして、その隙間に、吸収部４６を設けるようにしても良い。
【００４９】
ここで、本実施形態のバックライト装置１０は、液晶表示モジュール２０に向けて光を照射するものである。このため、発光部４１では、液晶パネル２１にてＲＧＢの色再現が好ましく実現されるように、ＬＥＤ５２の個数や、各ＬＥＤ５２に流す電流量を適宜設定され、赤色光、緑色光及び青色光それぞれの光量のバランスの最適化が成されている。従って、吸収部４６において、特定の光（波長）に対する吸収が顕著である等、光の色によって吸収に偏りがあることは好ましくない。
【００５０】
これに対し、上記のとおり、本実施形態の吸収部４６の呈する色は、無彩色である灰色に設定されている。これにより、吸収部４６は、発光部４１から照射される光の成分（波長分布）は変えないようにしつつ、発光部４１から照射される光の一部を吸収して光量を減少させた後、表示パネル２１に向けて反射することができる。
【００５１】
本実施の形態に係るバックライト装置１０の発光動作について説明する。
図示しない電源からの電力供給を受けて、発光制御部３４は、給電ケーブル３３を介して発光装置３２を構成する発光モジュール４０ａ〜４０ｅに電流が流れるように電圧をかける。すると、例えば発光モジュール４０ａでは、発光部４１を構成する各ＬＥＤパッケージ５０に設けられた赤色ＬＥＤ５２Ｒ、第１緑色ＬＥＤ５２Ｇａ、青色ＬＥＤ５２Ｂ、第２緑色ＬＥＤ５２Ｇｂに、それぞれ電流が流れる。その結果、各ＬＥＤパッケージ５０の赤色ＬＥＤ５２Ｒ、第１緑色ＬＥＤ５２Ｇａ、青色ＬＥＤ５２Ｂ、第２緑色ＬＥＤ５２Ｇｂから、Ｒ（赤色）、Ｇ（緑色）、Ｂ（青色）の光がＴｏｐ側に向けて出射される。
【００５２】
そして、各ＬＥＤパッケージ５０からＴｏｐ側に向けて出射されたＲＧＢの光は、バックライトフレーム３１内を進むうちに混色され、白色光となる。そして、混色された白色光は反射板４４によって反射され、拡散板１２側へと向かう。なお、他の発光モジュール４０ｂ〜４０ｅにおいても、同様の手順によって出射、混色された白色光が拡散板１２側へと向かう。そして、拡散板１２に入射した白色光は、拡散板１２でさらに混色及び輝度の均一化がなされた後、プリズムシート１３、１４および輝度向上フィルム１５を透過し、液晶表示モジュール２０に向けて出射される。
【００５３】
なお、本実施形態のバックライト装置１０では、発光部４１から表示パネル２１面と略平行な方向に照射し、反射板４４によって表示パネル２１へ向けて光を照射している。これにより、発光部４１から照射された各色の光が混色するのに十分な光路長さが確保される。従って、例えば発光部４１から拡散板１２までの距離を短くすることができるため、バックライト装置１０の薄型化を実現することが可能となる。
【００５４】
図８は、発光モジュール４０における光の挙動について説明するための図である。
ここでは、発光モジュール４０ｂを例に説明する。なお、説明の便宜上、発光部４１から照射される光のうち、第１反射部４４ａへと向かう光を光Ｂｍ１、第２反射部４４ｂへと向かう光を光Ｂｍ２、発光モジュール４０ａの調整部材４５へと向かう光を光Ｂｍ３、吸収部４６へと向かう光を光Ｂｍ４と呼ぶ。
【００５５】
まず、発光部４１から照射される光のうち、反射板４４へと向かう光Ｂｍ１及び光Ｂｍ２について説明する。
図８に示すように、発光部４１から照射された光Ｂｍ１は、第１反射部４４ａで反射する。このとき、光Ｂｍ１の一部は第１反射部４４ａにて拡散反射して拡散板１２へと進行する。また、光Ｂｍ１の一部は、第１反射部４４ａにて正反射してＴｏｐ側に向けて進行した後、拡散板１２に入射する。
発光部４１から照射された光Ｂｍ２は、第２反射部４４ｂで反射する。このとき、光Ｂｍ２の一部は、第２反射部４４ｂにて拡散反射して拡散板１２へと進行する。また、光Ｂｍ２の一部は、第２反射部４４ｂで正反射してＴｏｐ側に向けて進行した後、拡散板１２へと入射する。
【００５６】
拡散光の性質上、発光モジュール４０ｂにおいて、発光部４１（各ＬＥＤパッケージ５０）に近い側即ちＢｏｔｔｏｍ側の領域では光の強度が高くなり、発光部４１から遠い側即ちＴｏｐ側の領域では光の強度が低くなる。本実施の形態では、この拡散光の性質を考慮して、反射板４４のうち、発光部４１に近い側には発光部４１の光軸方向と反射面がほぼ平行な第１反射部４４ａを位置させ、拡散板１２に向かう反射光量を小さくするようにしている。一方で、発光部４１から遠い側には発光部４１の光軸方向に対して傾斜する第２反射部４４ｂを位置させ、拡散板１２に向かう反射光量を大きくするようにしている。
このような構成を採用することで、発光モジュール４０では、反射板４４による光の反射量の均一化を図ることが可能となる。
【００５７】
図８に示すように、発光部４１から照射された光Ｂｍ３は、発光モジュール４０ａの調整部材４５において、一部が吸収されあるいは反射する。そして、光Ｂｍ３のうち、調整部材４５に吸収されず、調整部材４５で反射しない光は、調整部材４５を透過して拡散板１２へと進む。また、調整部材４５では、発光部４１に近い側（一端側４５ａ）では厚みを厚くして、光の強度が高い発光部４１近傍では光を透過させ難くしている。一方で、調整部材４５では、発光部４１に遠い側（他端側４５ｂ）では厚みを薄くして、発光部４１から遠ざかることにより光の強度が低下した分を補うように、光を透過させ易くしている。
【００５８】
これにより、本実施形態の発光モジュール４０では、発光部４１が設けられた領域の光量が他の領域と比べて、著しく大きくなることを防止している。さらに、調整部材４５は、発光部４１から入射する光を全て吸収あるいは反射して遮らないように構成されている。このため、本実施形態の発光モジュール４０では、調整部材４５を設けることによって、調整部材４５が配置される領域の光量が、他の領域と比較して著しく小さくなることが防止される。その結果、発光部４１から反射板４４に向かわず、拡散板１２側へと進行する光に起因する輝度ムラの発生を抑制している。
【００５９】
図８に示すように、発光部４１から照射された光Ｂｍ４は、吸収部４６において、一部が吸収される。そして、光Ｂｍ４のうち、吸収部４６にて吸収されない光は、吸収部４６で反射して拡散板１２側へと入射する。
上述のとおり、拡散光の性質上、発光部４１付近の光量は、他の領域と比較して大きくなる。さらに、発光部４１から照射されて第１反射部４４ａの近い位置に入射する光ほど、その入射角が小さくなるため、第１反射部４４ａで反射した光の反射角も小さくなる。従って、第１反射部４４ａにおいて発光部４１に近い側で反射した光は、例えば拡散板１２における発光部４１の直上付近に集中しやすくなる。そのため、発光部４１の直上付近の光量は、他の領域と比較して顕著になりやすい。
【００６０】
これに対して、本実施形態の発光モジュール４０では、吸収部４６を発光部４１の発光方向側（Ｔｏｐ側）であって発光部４１の近傍に設けることにより、発光部４１から照射される光の光量を調整した上で、拡散板１２側へと反射させている。これにより、反射板４４側で反射した光について、発光部４１付近の光量が他の領域と比べて、著しく大きくなることを防止している。さらに、吸収部４６は、上述したように、発光部４１から入射する光を全て吸収しないように構成されている。従って、本実施形態の発光モジュール４０では、吸収部４６が設けられる領域の光量が、他の領域と比較して著しく小さくなることを防止している。その結果、反射板４４の発光部４１付近で反射した光に起因して発生し得る輝度ムラが抑制される。
【００６１】
ここで、図８を参照しながら説明したように、例えば発光モジュール４０ｂの発光部４１から照射され、反射板４４に入射した光は反射板４４で反射される（図８に示す光Ｂｍ１、２）。そして、反射板４４で反射した光の中には、発光モジュール４０ｂのＴｏｐ側に配置される発光モジュール４０ｃ側へと進行するものがある。さらに、反射板４４で反射した光のなかには、バックライトフレーム３１のＴｏｐ側の端部（図２参照）に到達するものもある。このことは、各発光モジュール４０についても同様にいえる。
【００６２】
そして、上述したように、本実施形態の発光モジュール４０ａ〜４０ｅにおける各発光部４１はＢｏｔｔｏｍ側からＴｏｐ側へと光を照射するように構成され、かつ、各発光モジュール４０は、Ｂｏｔｔｏｍ側からＴｏｐ側に向けて発光モジュール４０ａ、発光モジュール４０ｂ、発光モジュール４０ｃ、発光モジュール４０ｄ、発光モジュール４０ｅの順に並べられている。これにより、バックライト装置１０では、Ｔｏｐ側に向かうに従って、それよりＢｏｔｔｏｍ側に設けられる発光モジュール４０の数が多くなるため、光量が大きくなることになる。即ち、Ｂｏｔｔｏｍ側からＴｏｐ側に向かうに従って、各発光モジュール４０から照射される光が累積することになる。
【００６３】
そこで、本実施形態の発光制御部３４は、各発光モジュール４０における発光部４１の発光量を発光モジュール４０ごとに制御することによって、バックライト装置１０全体に亘る光量分布の均一化を図っている。
図９は、本実施形態の発光制御部３４における各発光モジュール４０の電流量の制御について説明するための図である。
図９に示すように、発光制御部３４は、発光モジュール４０ａの赤色ＬＥＤ群１０１Ｒには１６０ｍＡ、第１緑色ＬＥＤ群１０１Ｇａには６５ｍＡ、青色ＬＥＤ群１０１Ｂには９０ｍＡ、第２緑色ＬＥＤ群１０１Ｇｂには６５ｍＡの電流をそれぞれ流すように制御する。このように、発光制御部３４は、発光モジュール４０ａの各色のＬＥＤ群に対し、合計で３８０ｍＡの電流を流している。
【００６４】
また、発光制御部３４は、発光モジュール４０ｂの赤色ＬＥＤ群１０２Ｒには１５０ｍＡ、第１緑色ＬＥＤ群１０２Ｇａには６０ｍＡ、青色ＬＥＤ群１０２Ｂには８０ｍＡ、第２緑色ＬＥＤ群１０２Ｇｂには６０ｍＡの電流をそれぞれ流すように制御する。このように、発光制御部３４は、発光モジュール４０ｂの各色のＬＥＤ群に対し、合計で３５０ｍＡの電流を流している。そして、発光制御部３４は、発光モジュール４０ｃ、発光モジュール４０ｄ、発光モジュール４０ｅについても、各色のＬＥＤ群に流す電流量を図９に示すように設定している。
【００６５】
ここで、図２を参照しながら説明したように、各発光モジュール４０は、バックライトフレーム３１において、Ｂｏｔｔｏｍ側からＴｏｐ側に向けて、発光モジュール４０ａ、発光モジュール４０ｂ、発光モジュール４０ｃ、発光モジュール４０ｄ、発光モジュール４０ｅの順に並べて配置されている。これに対して、発光制御部３４は、各発光モジュール４０に流す電流量について、発光モジュール４０ａでは３８０ｍＡ、発光モジュール４０ｂでは３５０ｍＡ、発光モジュール４０ｃでは３２０ｍＡといったように、Ｂｏｔｔｏｍ側からＴｏｐ側に向けて段階的に小さくなるように制御している。ここで、各発光モジュール４０の発光部４１に設けられる各ＬＥＤ５２は、電流量の増加に伴って発光量が増加する特性を有する。従って、本実施形態の発光装置３２では、Ｂｏｔｔｏｍ側からＴｏｐ側に向けて各発光モジュール４０の発光部４１に流す電流量が段階的に小さくなるように設定されているため、Ｂｏｔｔｏｍ側からＴｏｐ側に向けて各発光モジュール４０の発光部４１から照射される光の光量も段階的に小さくなる。
【００６６】
以上のように、本実施形態の発光装置３２では、Ｂｏｔｔｏｍ側からＴｏｐ側に向かうに従って各発光モジュール４０から照射される光が累積することに対し、Ｂｏｔｔｏｍ側からＴｏｐ側に向かって各発光モジュール４０の発光部４１の発光量を段階的に減少させている。これにより、バックライト装置１０全体に亘った光量の均一化を図ることが可能となる。
【００６７】
図１０は、バックライトフレーム３１の吸収体３５について説明するための図である。
図１０に示すように、例えば、発光モジュール４０ｅの反射板４４で反射した光Ｂｍ１、Ｂｍ２の一部は、バックライトフレーム３１のＴｏｐ側の側面部内側に入射する。この入射した光が拡散板１２側に反射した場合、この領域における光量が顕著に高くなる懸念がある。
これに対して、本実施形態では、図１０に示すように、バックライトフレーム３１の内側の端部に吸収体３５を設け、バックライトフレーム３１のＴｏｐ側の端部に入射してくる光を吸収している。これにより、本実施形態のバックライト装置１０では、バックライトフレーム３１のＴｏｐ側の端部において光量が顕著に高くなることを抑制している。
【００６８】
以上のように、本実施形態のバックライト装置１０では、発光制御部３４が各発光モジュール４０ａ〜４０ｅの発光部４１に流す電流量を、光の照射方向すなわちＢｏｔｔｏｍ側からＴｏｐ側に向かって順に少なくなるように調整することにより、発光モジュール４０ａ〜４０ｅの順で光量が少なくなるようにし、バックライト装置１０全体に亘って光量の均一化を図るようにした。さらに、バックライトフレーム３１のＴｏｐ側の端部に、吸収体３５を設けることによって、端部側で光量が顕著に高くなることを抑制するようにした。さらに、本実施形態では、調整部材４５や吸収部４６を用いて、発光部４１のＬＥＤ５２の近傍において光量が顕著に高くなることを抑制した。このようにして、本実施形態のバックライト装置１０では、輝度ムラの発生を抑制し、液晶表示モジュール２０に向けて均一に光照射を行うことが可能となる。
【００６９】
＜実施形態２＞
図１１は、実施形態２が適用される光源装置１１の全体構成を説明するための図である。図１１（ａ）は実施形態２のバックライト装置１０の全体構成図を、図１１（ｂ）は（ａ）に示すＢ−Ｂ断面を示す図である。
なお、実施形態１と同様な部材等については同一の符号を付して、その詳細な説明を省略する。
図１１（ａ）に示すように、実施形態２のバックライト装置１０における発光装置３２は、それぞれが横方向Ｈに沿って延び、且つ、縦方向Ｖに複数（本実施の形態では４つ）配列された発光モジュール４０ａ〜４０ｄを有している。また、発光モジュール４０ａは最も下側（Ｂｏｔｔｏｍ側）に、発光モジュール４０ｄは最も上側（Ｔｏｐ側）に、それぞれ位置する。そして、図１１（ａ）に示すように、発光モジュール４０ａ、発光モジュール４０ｂ、発光モジュール４０ｃ、発光モジュール４０ｄの順に隣り合うように、バックライトフレーム３１に配列される。なお、実施形態２における発光モジュール４０ａ〜４０ｄは、図３に示すものとほぼ同様の構成を有している。
【００７０】
そして、発光モジュール４０ａ及び発光モジュール４０ｂは、各々の発光部４１の発光方向がＢｏｔｔｏｍ側からＴｏｐ側に設定され、反射板４４によって液晶パネル２１側へと光を照射する。一方、発光モジュール４０ｃ及び発光モジュール４０ｄは、各々の発光部４１の発光方向がＴｏｐ側からＢｏｔｔｏｍ側に設定され、反射板４４によって液晶パネル２１側へと光を照射するものである。
このように、実施形態２の光源装置３２では、各発光モジュール４０における発光部４１の光の照射方向を、バックライトフレーム３１の縦方向Ｖの両端側から中央部に向けることによって、液晶パネル２１側へ向けて効率良く光照射を行うことができる。
【００７１】
図１１（ｂ）に示すように、実施形態２の発光装置３２では、各発光モジュール４０における反射板４４の発光部４１付近にはそれぞれ吸収部４６が、各発光部４１の拡散板１２側にはそれぞれ調整部材４５が設けられている。
また、実施形態２の発光装置３２は、実施形態１と同様に、発光制御部３４によって、各発光モジュール４０の発光量が制御されている。そして、実施形態２の発光装置３２では、発光制御部３４によって、発光モジュール４０ｂは、発光モジュール４０ａと比較して発する光の光量が小さくなるように設定されている。また、発光モジュール４０ｃは、発光モジュール４０ｄと比較して光量が小さくなるように設定されている。このように、実施形態２においても、各発光モジュール４０の光量を調整することによって、バックライト装置１０の全体に亘って光量の均一化を図っている。
【００７２】
なお、実施の形態１、２では、ＲＧＢの３色のＬＥＤ５２を用いて白色光を生成するように構成していたが、これに限られるものではない。例えば全てのＬＥＤ５２を青色発光ダイオードで構成し、レンズ５４に青色光を黄色光に変換する蛍光体を添加しておくことにより、白色光を生成するようにしてもよい。また、レンズ５４に青色光を緑色光および赤色光に変換する蛍光体を添加するようにしてもよい。さらに、例えば全てのＬＥＤ５２を紫外発光ダイオードで構成し、レンズ５４に紫外光を青色光、緑色光及び赤色光に変換する蛍光体を添加する構成を採用してもよい。
【００７３】
また、実施の形態１、２では、ＬＥＤパッケージ５０を構成する各ＬＥＤ５２に個別にレンズ５４を形成するようにしていたが、これに限られるものではなく、例えばＬＥＤパッケージ５０を構成する各ＬＥＤ５２に一括してレンズ５４を形成するようにしてもかまわない。
【図面の簡単な説明】
【００７４】
【図１】本実施形態の液晶表示装置の全体構成を示す図である。
【図２】光源装置の構成を説明するための図である。
【図３】発光モジュールの斜視図を示している。
【図４】配線基板について説明するための図である。
【図５】ＬＥＤパッケージを説明するための図である。
【図６】発光制御部について説明するための図である。
【図７】発光モジュールの反射板、調整部材及び吸収部を説明するための図である。
【図８】発光モジュールにおける光の挙動について説明するための図である。
【図９】発光制御部における各発光モジュールの電流量の制御について説明するための図である。
【図１０】バックライトフレームの吸収体について説明するための図である。
【図１１】実施形態２が適用される光源装置の全体構成を説明するための図である。
【符号の説明】
【００７５】
１０…バックライト装置、２０…液晶表示モジュール、３４…発光制御部、３５…吸収体、４０…発光モジュール、４１…発光部、４４…反射板、４５…調整部材、４６…吸収部
【図１】
2010086816.tif 000003
【図２】
2010086816.tif 000004
【図３】
2010086816.tif 000005
【図４】
2010086816.tif 000006
【図５】
2010086816.tif 000007
【図６】
2010086816.tif 000008
【図７】
2010086816.tif 000009
【図８】
2010086816.tif 000010
【図９】
2010086816.tif 000011
【図１０】
2010086816.tif 000012
【図１１】
2010086816.tif 000013